(57)【要約】【課題】ソーラーパネルの発電効率を確保することができるムーブメントを提供する。【解決手段】ムーブメントは、主指針が取り付けられる主軸と、主軸の周囲に配置される目盛り２３と、外部から入射される光を遮光する遮光部が形成される第１小表示領域２２Ａ〜第４小表示領域２２Ｄと、外部からの光を受けるソーラーパネル４０であって、目盛り２３を通る分割線Ｌ１〜Ｌ６に沿って分割される複数のセル４２Ａ〜４２Ｆを含み、複数のセル４２Ａ〜４２Ｆが遮光部の投影面積を除いた面積において同等となるように形成されるソーラーパネル４０と、複数のセル４２Ａ〜４２Ｆを電気的に接続し、目盛り２３に重なる位置に設置された接続部４３と、を備える。【選択図】図２
2018054598.tif 000002
【特許請求の範囲】
【請求項１】
主指針が取り付けられる主軸と、
前記主軸の周囲に配置される指標と、
外部から入射される光を遮光する遮光部が形成される小表示領域と、
外部からの光を受けるソーラーパネルであって、前記指標を通る分割線に沿って分割される第１セルと第２セルとを含み、前記第１セルと前記第２セルとが前記遮光部の投影面積を除いた面積において同等となるように形成されるソーラーパネルと、
前記第１セルと前記第２セルとを電気的に接続し、前記指標に重なる位置に設置された接続部と、
を備えることを特徴とするムーブメント。
【請求項２】
前記第１セルおよび前記第２セルは、前記遮光部の投影面積を除いた面積において光を受けることで生じる出力電流が等しくなるように形成されていることを特徴とする請求項１に記載のムーブメント。
【請求項３】
前記分割線は前記遮光部に重なるように形成されることを特徴とする請求項１または２に記載のムーブメント。
【請求項４】
前記小表示領域には、副指針が配置可能とされ、
前記分割線は、前記副指針の移動軌跡に重ならない位置に設けられていることを特徴とする請求項１から３のいずれか１項に記載のムーブメント。
【請求項５】
前記第１セルおよび前記第２セルの外縁は、前記指標における前記主軸の径方向内側の端部よりも外側に配置されていることを特徴とする請求項１から４のいずれか１項に記載のムーブメント。
【請求項６】
前記ソーラーパネルは、前記第１セルと前記第２セルとが前記遮光部および前記指標の投影面積を除いた面積において同等となるように形成されていることを特徴とする請求項１から５のいずれか１項に記載のムーブメント。
【請求項７】
前記分割線は、前記主軸から前記指標までの直線距離よりも長いことを特徴とする請求項１から６のいずれか１項に記載のムーブメント。
【請求項８】
前記指標は、時刻を表示することを特徴とする請求項１から７のいずれか１項に記載のムーブメント。
【請求項９】
請求項１から８のいずれか１項に記載のムーブメントを備えることを特徴とする時計。
【発明の詳細な説明】
【技術分野】
【０００１】
本発明は、ムーブメントおよび時計に関するものである。
【背景技術】
【０００２】
従来、外部から光を受けて発電可能なソーラーパネルを備えた時計がある。この種の時計では、ソーラーパネルで発電された電力により二次電池を充電し、二次電池に充電された電力を用いて、指針を駆動するモータを制御する。
【０００３】
時計に設けられたソーラーパネルは、複数のセルを有する場合がある。例えば、特許文献１には、直線状に延びる分割線によって分割された複数のセルを有するソーラーパネルが開示されている。また、特許文献２には、一部が湾曲する分割線によって分割された複数のセルを有するソーラーパネルが開示されている。また、特許文献３には、屈曲した分割線によって、液晶表示のための開口部を避けるように分割された複数のセルを有するソーラーパネルが開示されている。また、特許文献４には、渦巻き形状に延びる分割線により分割された複数のセルを有するソーラーパネルが開示されている。
【０００４】
複数のセルを有するソーラーパネルでは、二次電池の充電に必要な電圧を出力するために、複数のセルが直列接続される。各セルを直列接続する方法としては、例えば導電材により形成された接続部によって、各セルを互いに電気的に接続する方法がある。
【先行技術文献】
【特許文献】
【０００５】
【特許文献１】特開２００２−１２２６８２号公報
【特許文献２】特開２０１５−６０９０７号公報
【特許文献３】特許第５２３８４３３号公報
【特許文献４】特開２０１４−１６９９１６号公報
【発明の概要】
【発明が解決しようとする課題】
【０００６】
ところで、複数のセルを直列接続した場合、ソーラーパネルの出力電圧は、各セルの出力電圧の総計となる。一方で、ソーラーパネルの出力電流は、各セル単体の出力電流のうち最も小さい値と同じになる。このため、ソーラーパネルの発電効率を向上させるためには、各セルの受光面積をより大きく確保して各セルの出力電流を大きくするとともに、各セル間の受光面積のばらつきを抑制して各セル間の出力電流を平準化する必要がある。
【０００７】
しかしながら、ソーラーパネルの受光面に対向する位置には、時刻を表示するための目盛りや、電池残量等の各種情報を表示するための部材が設けられる場合がある。この場合には、目盛りや前記部材が遮光性を有するので、ソーラーパネルの受光面に影ができ、各セルの受光面積が減少したり、各セル間の受光面積にばらつきが生じたりする可能性がある。
したがって、従来技術にあっては、各セルの受光面積をより大きく確保するとともに、各セル間の受光面積のばらつきを抑制して、ソーラーパネルの発電効率を確保するという点で改善の余地がある。
【０００８】
そこで本発明は、ソーラーパネルの発電効率を確保することができるムーブメントおよび時計を提供するものである。
【課題を解決するための手段】
【０００９】
本発明のムーブメントは、主指針が取り付けられる主軸と、前記主軸の周囲に配置される指標と、外部から入射される光を遮光する遮光部が形成される小表示領域と、外部からの光を受けるソーラーパネルであって、前記指標を通る分割線に沿って分割される第１セルと第２セルとを含み、前記第１セルと前記第２セルとが前記遮光部の投影面積を除いた面積において同等となるように形成されるソーラーパネルと、前記第１セルと前記第２セルとを電気的に接続し、前記指標に重なる位置に設置された接続部と、を備えることを特徴とする。
【００１０】
本発明によれば、ソーラーパネルは、第１セルと第２セルとが遮光部の投影面積を除いた面積において同等となるように形成されるので、第１セルと第２セルとの受光面積のばらつきを抑制できる。これにより、第１セルおよび第２セルの出力電流が平準化され、ソーラーパネルの出力電流の低下を抑制できる。
また、ムーブメントは、第１セルと第２セルとを電気的に接続し、指標に重なる位置に設置された接続部を備えるので、光を入射させた際に指標により遮光される部分と、ソーラーパネルのうち接続部によって遮光されて発電できない部分と、を重ねることができる。これにより、第１セルおよび第２セルに形成される、指標によって遮光される部分の面積を低減することができる。よって、第１セルおよび第２セルの受光面積をより大きく確保できる。
以上により、時計におけるソーラーパネルの発電効率を確保することができる。
【００１１】
上記のムーブメントにおいて、前記第１セルおよび前記第２セルは、前記遮光部の投影面積を除いた面積において光を受けることで生じる出力電流が等しくなるように形成されていることが望ましい。
【００１２】
本発明によれば、第１セルおよび第２セルの出力電流が平準化されるので、ソーラーパネルの出力電流の低下を抑制できる。したがって、時計におけるソーラーパネルの発電効率を確保することができる。
【００１３】
上記のムーブメントにおいて、前記分割線は前記遮光部に重なるように形成されることが望ましい。
【００１４】
本発明によれば、遮光部と、ソーラーパネルのうち分割線に沿って延びる発電できない部分と、を重ねることができる。これにより、第１セルおよび第２セルにおける、遮光部によって遮光される部分の面積を低減することができる。よって、第１セルおよび第２セルの受光面積をより効率的に確保できる。したがって、時計におけるソーラーパネルの発電効率を確保することができる。
【００１５】
上記のムーブメントにおいて、前記小表示領域には、副指針が配置可能とされ、前記分割線は、前記副指針の移動軌跡に重ならない位置に設けられていることが望ましい。
【００１６】
本発明によれば、副指針が分割線を越えて移動することを防止できる。これにより、移動する副指針により遮光される部分が第１セルと第２セルとの間を跨って移動することを防止できる。よって、第１セルおよび第２セルの受光面積の変動が抑制され、ソーラーパネルの発電効率を安定化することができる。
【００１７】
上記のムーブメントにおいて、前記第１セルおよび前記第２セルの外縁は、前記指標における前記主軸の径方向内側の端部よりも外側に配置されていることが望ましい。
【００１８】
本発明によれば、第１セルおよび第２セルの外縁が指標よりも径方向内側に配置された構成と比較して、第１セルおよび第２セルを広く形成でき、第１セルおよび第２セルの受光面積をより大きく確保できる。したがって、時計におけるソーラーパネルの発電効率を確保することができる。
【００１９】
上記のムーブメントにおいて、前記ソーラーパネルは、前記第１セルと前記第２セルとが前記遮光部および前記指標の投影面積を除いた面積において同等となるように形成されていることが望ましい。
【００２０】
本発明によれば、遮光部および指標によりソーラーパネルが遮光される構成において、第１セルと第２セルとの受光面積のばらつきを抑制できる。これにより、第１セルおよび第２セルの出力電流が平準化され、ソーラーパネルの出力電流の低下を抑制できる。したがって、時計におけるソーラーパネルの発電効率を確保することができる。
【００２１】
上記のムーブメントにおいて、前記分割線は、前記主軸から前記指標までの直線距離よりも長いことが望ましい。
【００２２】
本発明によれば、分割線が主軸と指標とを結ぶ線分に沿って延びる構成よりも、分割線に沿って配置される第１セルと第２セルとを絶縁する部材を長く配置することができる。これにより、ソーラーパネルが撓み難くなるので、ソーラーパネルの組み付けを容易に行うことが可能となる。
【００２３】
上記のムーブメントにおいて、前記指標は、時刻を表示することが望ましい。
【００２４】
本発明によれば、時刻を表示するための目盛りを指標として備えるムーブメントにおいて、ソーラーパネルの発電効率を確保することができる。
【００２５】
本発明の時計は、上記のムーブメントを備えることを特徴とする。
【００２６】
本発明によれば、上述したムーブメントを備えるので、例えば主指針を駆動するモータを安定して制御することが可能となる。したがって、時計の安定動作を実現できる。
【発明の効果】
【００２７】
本発明によれば、時計におけるソーラーパネルの発電効率を確保することができる。
【図面の簡単な説明】
【００２８】
【図１】実施形態の時計の外観図である。
【図２】実施形態のソーラーパネルを文字板側から見た平面図である。
【図３】図２のＩＩＩ−ＩＩＩ線における断面図である。
【図４】実施形態の充電システムのブロック図である。
【発明を実施するための形態】
【００２９】
以下、本発明の実施形態を図面に基づいて説明する。
図１は、実施形態の時計の外観図である。
図１に示すように、時計１は、アナログ式電子時計であって、時計ケース２内に、文字板ユニット２０を有するムーブメント１０を備えている。時計ケース２は、ケース本体３、ケース裏蓋（不図示）およびガラス４により形成されている。時計１は、例えばＢｌｕｅｔｏｏｔｈ（登録商標）  Ｌｏｗ  Ｅｎｅｒｇｙ（ＢＬＥ）規格や、Ｗｉ−Ｆｉ（Ｗｉｒｅｌｅｓｓ  Ｆｉｄｅｌｉｔｙ）規格の通信方式を用いて、時計外部の機器（例えばスマートフォン等）との間で通信可能となっている。
【００３０】
文字板ユニット２０とガラス４との間には、各種指針が配置されている。各種指針は、時刻を示す主指針（時針５ａ、分針５ｂおよび秒針５ｃ）と、主指針が示す時刻とは異なる情報を示す副指針（残量指針６ａ、小時針６ｂおよび小分針６ｃ）が配置されている。また、時計１は、りゅうず７および一対の操作スイッチ８を備えている。りゅうず７および一対の操作スイッチ８は、時計ケース２の側方に設けられている。りゅうず７および一対の操作スイッチ８は、例えば時刻修正や機能切替等に用いられる。なお、以下の説明では、文字板ユニット２０に対して時計ケース２のガラス４側を「文字板側」と称し、ケース裏面側を「裏蓋側」と称する。
【００３１】
ムーブメント１０は、ムーブメント本体１１と、ムーブメント本体１１の文字板側に配置された文字板ユニット２０と、を備えている。ムーブメント本体１１は、上述した主指針が取り付けられる主軸１２と、上述した副指針が取り付けられる副軸１３と、主軸１２および副軸１３を駆動するモータ（不図示）と、モータの駆動力を主軸１２および副軸１３に伝達する輪列（不図示）と、モータを制御する電力を供給する二次電池１５（図４参照）と、を主に備えている。
【００３２】
主軸１２は、時針５ａが取り付けられる筒車１２ａと、分針５ｂが接続される二番車１２ｂと、秒針５ｃが接続される四番車１２ｃと、を含んでいる。筒車１２ａ、二番車１２ｂおよび四番車１２ｃは、同軸上に配置されている。筒車１２ａ、二番車１２ｂおよび四番車１２ｃは、文字板側に向かって突出し、文字板ユニット２０を貫通している。副軸１３は、残量指針６ａが取り付けられる第１副軸１３ａと、小時針６ｂが取り付けられる第２副軸１３ｂと、小分針６ｃが取り付けられる第３副軸１３ｃと、を含んでいる。各副軸１３は、主軸１２と平行に設けられている。各副軸１３は、文字板側に向かって突出し、文字板ユニット２０を貫通している。第２副軸１３ｂおよび第３副軸１３ｃは、同軸上に設けられている。なお、以下の説明では、主軸１２の軸方向を単に「軸方向」と称し、主軸１２回りの周方向を単に「周方向」と称し、軸方向に直交して主軸１２の軸線Ｏから放射状に延びる方向を「径方向」と称する。また、周方向のうち、文字板側から見た時計回り方向をＣＷ方向と称する。
【００３３】
文字板ユニット２０は、軸方向から見て円形状に形成され、主軸１２と同軸上に配置されている。文字板ユニット２０は、ガラス４を通じて視認可能に設けられている。文字板ユニット２０は、主軸１２回りの全周に亘って設けられ時刻を表示する主表示領域２１と、軸方向から見て主表示領域２１内に設けられ各種情報を表示する複数の小表示領域２２Ａ〜２２Ｄと、を備えている。
【００３４】
主表示領域２１には、複数の目盛り（指標）２３が設けられている。複数の目盛り２３は、時刻を示す指標であって、主軸１２の周囲における所定時刻位置に配置されている。本実施形態では、複数の目盛り２３は、周方向に等間隔で１２個設けられている。主表示領域２１は、複数の目盛り２３と時針５ａと分針５ｂと秒針５ｃとにより時刻を表示する。なお、３時を示す位置に設けられた目盛り２３の内側には、日窓９が形成されている。日窓９の内側には、日を示す文字が視認可能に配置される。
【００３５】
複数の小表示領域２２Ａ〜２２Ｄは、第１小表示領域２２Ａと、第２小表示領域２２Ｂと、第３小表示領域２２Ｃと、第４小表示領域２２Ｄと、を含んでいる。
第１小表示領域２２Ａは、周方向における１２時を示す位置に設けられている。第１小表示領域２２Ａには、文字列２４が形成されている。第１小表示領域２２Ａは、例えばメーカー名や製品名等の文字情報を表示する。
【００３６】
第２小表示領域２２Ｂは、周方向における６時を示す位置に設けられている。第２小表示領域２２Ｂには、円環状の第１リング部材２５が設けられている。第１リング部材２５は、第１副軸１３ａと同軸上に配置されている。軸方向から見た第１リング部材２５の内側には、残量指針６ａが配置されている。残量指針６ａの移動軌跡は、軸方向から見て第１リング部材２５の内側に位置している。第２小表示領域２２Ｂは、第１リング部材２５と残量指針６ａとにより、電池残量を表示する。
【００３７】
第３小表示領域２２Ｃは、周方向における９時と１０時との間を示す位置に設けられている。第３小表示領域２２Ｃには、円環状の第２リング部材２８と、第２リング部材２８の内周に等間隔に配置された複数の小目盛り２９と、が設けられている。第２リング部材２８は、第２副軸１３ｂおよび第３副軸１３ｃと同軸上に配置されている。軸方向から見た第２リング部材２８の内側には、小時針６ｂおよび小分針６ｃが配置されている。小時針６ｂおよび小分針６ｃの移動軌跡は、軸方向から見て第２リング部材２８の内側に位置している。第３小表示領域２２Ｃは、複数の小目盛り２９と小時針６ｂおよび小分針６ｃとにより、主表示領域２１に示す時刻とは別の地域の時刻を１２時間制で表示する。
【００３８】
第４小表示領域２２Ｄは、周方向の全周に亘って、径方向における目盛り２３と同じ位置に設けられている。第４小表示領域２２Ｄには、複数の記号体３１〜３５が周方向に並んで設けられている。第１記号体３１は、１時を示す目盛り２３と２時を示す目盛り２３との間に設けられている。第２記号体３２は、４時を示す目盛り２３と５時を示す目盛り２３との間に設けられている。第３記号体３３は、７時を示す目盛り２３と８時を示す目盛り２３との間に設けられている。第４記号体３４は、８時を示す目盛り２３と９時を示す目盛り２３との間に設けられている。第５記号体３５は、１０時を示す目盛り２３と１１時を示す目盛り２３との間に設けられている。
【００３９】
第４小表示領域２２Ｄは、各記号体３１〜３５と秒針５ｃとにより、時計１が有する機能に関する情報として、上述した通信機能に関する情報、または電力に関する情報を表示する。具体的に、第１記号体３１は、秒針５ｃとの組み合わせにより、時計外部の機器との通信に成功したことを表示する。第２記号体３２は、秒針５ｃとの組み合わせにより、時計外部の機器との通信に失敗したことを表示する。第３記号体３３は、秒針５ｃとの組み合わせにより、電池の残量が所定のレベル以下であることを表示する。第４記号体３４は、秒針５ｃとの組み合わせにより、時計外部の機器との通信が必要である、または通信中であることを表示する。第５記号体３５は、秒針５ｃとの組み合わせにより、時計外部の機器との通信が禁止されていることを表示する。
【００４０】
なお、複数の小表示領域は、上述した小表示領域２２Ａ〜２２Ｄのみに限定されず、例えば第３小表示領域２２Ｃに示す時刻を２４時間制で示す第５小表示領域（不図示）を含んでいてもよい。この場合、第５小表示領域には、第３小表示領域２２Ｃと同様に、円環状のリング部材が設けられ、第５小表示領域は、リング部材と図示しない副指針とにより時刻を表示する。第５小表示領域は、例えば第２小表示領域２２Ｂと第３小表示領域２２Ｃとの間に設けられる。
【００４１】
以下、文字板ユニット２０の具体的な構成について説明する。
文字板ユニット２０は、外部から光を受けて発電可能なソーラーパネル４０と、ソーラーパネル４０の受光面４１（図２参照）に対向して配置された文字板５０と、を備えている。
文字板５０は、ソーラーパネル４０の受光面側に配置されている。文字板５０は、円板状に形成された本体部５１と、本体部５１の文字板側に配置された上述した複数の目盛り２３、文字列２４、第１リング部材２５、第２リング部材２８、複数の小目盛り２９、および複数の記号体３１〜３５と、を有する。以下の説明では、文字列２４、第１リング部材２５、第２リング部材２８、小目盛り２９、および複数の記号体３１〜３５をまとめて「遮光部」と称する。
【００４２】
本体部５１は、透光性を有する材料により形成されている。透光性を有する材料としては、例えばガラスや樹脂材料等を用いることができる。
目盛り２３および上述した遮光部は、例えば金属材料や樹脂材料等により形成されている。目盛り２３および遮光部は、外部からソーラーパネル４０の受光面４１に向かって入射した光を遮光する。
【００４３】
図２は、実施形態のソーラーパネルを文字板側から見た平面図である。なお、図２では、ソーラーパネル４０の受光面４１上に、目盛り２３、遮光部および副指針を投影して２点鎖線で示している。
図２に示すように、ソーラーパネル４０は、受光面４１を文字板側に向けた状態で配置されている。ソーラーパネル４０は、文字板５０（図１参照）と略同径の円板状に形成されている。ソーラーパネル４０は、太陽電池からなる直列接続された複数（本実施形態では６個）のセル４２Ａ〜４２Ｆと、セル４２Ａ〜４２Ｆを互いに電気的に接続する複数（本実施形態では５個）の接続部４３と、を有する。
【００４４】
複数のセル４２Ａ〜４２Ｆは、周方向に並んでいる。複数のセル４２Ａ〜４２Ｆは、複数のセル４２Ａ〜４２Ｆと同数の分割線Ｌ１〜Ｌ６に沿って分割されている。分割線Ｌ１〜Ｌ６は、軸方向から見て主軸１２（図１参照）の軸線Ｏから延びて目盛り２３を通っている。各セル４２Ａ〜４２Ｆの外縁（径方向外側の端縁）は、目盛り２３の径方向内側の端部よりも径方向外側に配置されている。
【００４５】
第１分割線Ｌ１は、セル４２Ｆとセル４２Ａとを分割している。第１分割線Ｌ１は、軸方向から見て、主軸１２から１２時を示す目盛り２３に向かって延びている。第１分割線Ｌ１は、軸方向から見て、第１小表示領域２２ＡをＣＷ方向における下流側の位置において避けるように延びている。分割線Ｌ１は、主軸１２から１２時を示す目盛り２３までの直線距離よりも長くなっている。
【００４６】
第２分割線Ｌ２は、セル４２Ａとセル４２Ｂとを分割している。第２分割線Ｌ２は、軸方向から見て、主軸１２から２時を示す目盛り２３に向かって延びている。分割線Ｌ２は、主軸１２から２時を示す目盛り２３までの直線距離よりも長くなっている。
第３分割線Ｌ３は、セル４２Ｂとセル４２Ｃとを分割している。第３分割線Ｌ３は、軸方向から見て、主軸１２から４時を示す目盛り２３に向かって延びている。分割線Ｌ３は、主軸１２から４時を示す目盛り２３までの直線距離よりも長くなっている。
【００４７】
第４分割線Ｌ４は、セル４２Ｃとセル４２Ｄとを分割している。第４分割線Ｌ４は、軸方向から見て、主軸１２から６時を示す目盛り２３に向かって延びている。第４分割線Ｌ４は、軸方向から見て、第２小表示領域２２Ｂのうち残量指針６ａの移動軌跡をＣＷ方向における下流側の位置において避けるように延びている。第４分割線Ｌ４は、軸方向から見て、第２小表示領域２２Ｂの第１リング部材２５と重なる位置を通って延びている。分割線Ｌ４は、主軸１２から６時を示す目盛り２３までの直線距離よりも長くなっている。
【００４８】
第５分割線Ｌ５は、セル４２Ｄとセル４２Ｅとを分割している。第５分割線Ｌ５は、軸方向から見て、主軸１２から８時を示す目盛り２３に向かって延びている。第５分割線Ｌ５は、軸方向から見て、第３小表示領域２２Ｃのうち小時針６ｂおよび小分針６ｃの移動軌跡をＣＷ方向における上流側の位置において避けるように延びている。第５分割線Ｌ５は、軸方向から見て、第３小表示領域２２Ｃの第２リング部材２８と重なる位置を通って延びている。分割線Ｌ５は、主軸１２から８時を示す目盛り２３までの直線距離よりも長くなっている。
【００４９】
第６分割線Ｌ６は、セル４２Ｅとセル４２Ｆとを分割している。第６分割線Ｌ６は、軸方向から見て、主軸１２から１０時を示す目盛り２３に向かって延びている。第６分割線Ｌ６は、軸方向から見て、第３小表示領域２２Ｃのうち小時針６ｂおよび小分針６ｃの移動軌跡をＣＷ方向における下流側の位置において避けるように、かつ第１小表示領域２２ＡをＣＷ方向における上流側の位置において避けるように延びている。第６分割線Ｌ６は、軸方向から見て、第３小表示領域２２Ｃの第２リング部材２８と重なる位置を通って延びている。分割線Ｌ６は、主軸１２から１０時を示す目盛り２３までの直線距離よりも長くなっている。
【００５０】
図３は、図２のＩＩＩ−ＩＩＩ線における断面図である。
図２および図３に示すように、各セル４２Ａ〜４２Ｆは、反射電極層４４と、光電変換層４５と、上部電極層４６と、がこの順に基材４７上に積層されることにより形成されている。基材４７は、例えばポリエチレンナフタレートやポリイミド等の樹脂フィルムにより形成されている。反射電極層４４は、例えばアルミニウムや銀、チタン等の金属材料により形成されている。光電変換層４５は、ｎ型アモルファスシリコン層４５ａと、ｉ型アモルファスシリコン層４５ｂと、ｐ型アモルファスシリコン層４５ｃと、がこの順に反射電極層４４上に積層されることにより形成されている。上部電極層４６は、例えばＩＴＯ等により形成された透明導電膜である。
【００５１】
周方向で隣り合うセル４２Ａ〜４２Ｆの反射電極層４４および光電変換層４５は、分割線Ｌ１〜Ｌ６に沿って延びる絶縁材料層４８により分割されている。なお、絶縁材料層４８が更に分断されることで、セル間の絶縁性を更に高めてもよい。また、分割線Ｌ１〜Ｌ５それぞれのＣＷ方向下流側に位置する各セル４２Ａ〜４２Ｅの上部電極層４６は、絶縁材料層４８上を跨ってＣＷ方向下流側に向かって延び、隣り合うセル４２Ｂ〜４２Ｆの光電変換層４５上に積層されている。上部電極層４６のうち絶縁材料層４８上を跨ってＣＷ方向下流側に向かって延びた部分は、接続部４３により、下層の反射電極層４４に電気的に接続されている。
【００５２】
接続部４３は、例えば導電材により形成されている。接続部４３は、上部電極層４６上に塗布されることで、上部電極層４６、光電変換層４５および反射電極層４４を軸方向に貫通する貫通孔４９内に設けられている。これにより、分割線Ｌ１〜Ｌ５のそれぞれを挟んで隣り合う一対のセル４２Ａ〜４２Ｆ同士が電気的に接続され、複数のセル４２Ａ〜４２Ｆが直列接続されている。
【００５３】
図２に示すように、各接続部４３は、軸方向から見て目盛り２３と重なる位置に設置されている。第２分割線Ｌ２により分割されたセル４２Ａとセル４２Ｂとを電気的に接続する接続部４３は、２時を示す目盛り２３と重なる位置に設置されている。第３分割線Ｌ３により分割されたセル４２Ｂとセル４２Ｃとを電気的に接続する接続部４３は、４時を示す目盛り２３と重なる位置に設置されている。第４分割線Ｌ４により分割されたセル４２Ｃとセル４２Ｄとを電気的に接続する接続部４３は、６時を示す目盛り２３と重なる位置に設置されている。第５分割線Ｌ５により分割されたセル４２Ｄとセル４２Ｅとを電気的に接続する接続部４３は、８時を示す目盛り２３と重なる位置に設置されている。第６分割線Ｌ６により分割されたセル４２Ｅとセル４２Ｆとを電気的に接続する接続部４３は、１０時を示す目盛り２３と重なる位置に設置されている。
【００５４】
各セル４２Ａ〜４２Ｆは、それぞれ上述した目盛り２３および遮光部の投影面積を除いた面積（以下、受光面積という。）が同等となるように形成されている。これにより、各セル４２Ａ〜４２Ｆは、文字板ユニット２０に対して軸方向に沿って光を入射させた際に、目盛り２３および遮光部の投影面積を除いた面積において光を受けることで生じる出力電流が等しくなるように形成されている。なお、ここで言う投影面積とは、文字板ユニット２０に対して軸方向に沿って光を入射させた際にできる影の面積である。よって、受光面積は、文字板ユニット２０に対して軸方向に沿って光を入射させた際に、各セル４２Ａ〜４２Ｆにおける光が当たる部分の面積である。
【００５５】
具体的に、各セル４２Ａ〜４２Ｆの受光面積は以下のように計算される。
第１分割線Ｌ１および第２分割線Ｌ２の間に位置するセル４２Ａには、軸方向から見て、１２時を示す目盛り２３の一部と、１時を示す目盛り２３と、２時を示す目盛り２３の一部と、第４小表示領域２２Ｄの第１記号体３１と、が重なっている。このため、セル４２Ａの受光面積は、セル４２Ａの受光面の面積から、１２時を示す目盛り２３のうち軸方向から見てセル４２Ａと重なる部分の投影面積と、１時を示す目盛り２３の投影面積と、２時を示す目盛り２３のうち軸方向から見てセル４２Ａと重なる部分の投影面積と、第４小表示領域２２Ｄの第１記号体３１の投影面積と、を差し引いた面積である。
【００５６】
第２分割線Ｌ２および第３分割線Ｌ３の間に位置するセル４２Ｂには、軸方向から見て、２時を示す目盛り２３の一部と、３時を示す目盛り２３と、４時を示す目盛り２３の一部と、が重なっている。このため、セル４２Ｂの受光面積は、セル４２Ｂの受光面の面積から、２時を示す目盛り２３のうち軸方向から見てセル４２Ｂと重なる部分の投影面積と、３時を示す目盛り２３の投影面積と、４時を示す目盛り２３のうち軸方向から見てセル４２Ｂと重なる部分の投影面積と、を差し引いた面積である。
【００５７】
第３分割線Ｌ３および第４分割線Ｌ４の間に位置するセル４２Ｃには、軸方向から見て、４時を示す目盛り２３の一部と、５時を示す目盛り２３と、６時を示す目盛り２３の一部と、第２小表示領域２２Ｂの第１リング部材２５の一部と、第４小表示領域２２Ｄの第２記号体３２と、が重なっている。このため、セル４２Ｃの受光面積は、セル４２Ｃの受光面の面積から、４時を示す目盛り２３のうち軸方向から見てセル４２Ｃと重なる部分の投影面積と、５時を示す目盛り２３の投影面積と、６時を示す目盛り２３のうち軸方向から見てセル４２Ｃと重なる部分の投影面積と、第２小表示領域２２Ｂの第１リング部材２５のうち軸方向から見てセル４２Ｃと重なる部分の投影面積と、第４小表示領域２２Ｄの第２記号体３２の投影面積と、を差し引いた面積である。
【００５８】
第４分割線Ｌ４および第５分割線Ｌ５の間に位置するセル４２Ｄには、軸方向から見て、６時を示す目盛り２３の一部と、７時を示す目盛り２３と、８時を示す目盛り２３の一部と、第２小表示領域２２Ｂの第１リング部材２５の一部と、第３小表示領域２２Ｃの第２リング部材２８の一部と、第４小表示領域２２Ｄの第３記号体３３と、が重なっている。このため、セル４２Ｄの受光面積は、セル４２Ｄの受光面の面積から、６時を示す目盛り２３のうち軸方向から見てセル４２Ｄと重なる部分の投影面積と、７時を示す目盛り２３の投影面積と、８時を示す目盛り２３のうち軸方向から見てセル４２Ｄと重なる部分の投影面積と、第２小表示領域２２Ｂの第１リング部材２５のうち軸方向から見てセル４２Ｄと重なる部分の投影面積と、第３小表示領域２２Ｃの第２リング部材２８のうち軸方向から見てセル４２Ｄと重なる部分の投影面積と、第４小表示領域２２Ｄの第３記号体３３の投影面積と、を差し引いた面積である。
【００５９】
第５分割線Ｌ５および第６分割線Ｌ６の間に位置するセル４２Ｅには、軸方向から見て、８時を示す目盛り２３の一部と、９時を示す目盛り２３と、１０時を示す目盛り２３の一部と、第３小表示領域２２Ｃの第２リング部材２８の一部と、第３小表示領域２２Ｃの小目盛り２９と、第４小表示領域２２Ｄの第４記号体３４と、が重なっている。このため、セル４２Ｅの受光面積は、セル４２Ｅの受光面の面積から、８時を示す目盛り２３のうち軸方向から見てセル４２Ｅと重なる部分の投影面積と、９時を示す目盛り２３の投影面積と、１０時を示す目盛り２３のうち軸方向から見てセル４２Ｅと重なる部分の投影面積と、第３小表示領域２２Ｃの第２リング部材２８のうち軸方向から見てセル４２Ｅと重なる部分の投影面積と、第３小表示領域２２Ｃの小目盛り２９の投影面積と、第４小表示領域２２Ｄの第４記号体３４の投影面積と、を差し引いた面積である。
【００６０】
第６分割線Ｌ６および第１分割線Ｌ１の間に位置するセル４２Ｆには、軸方向から見て、１０時を示す目盛り２３の一部と、１１時を示す目盛り２３と、１２時を示す目盛り２３の一部と、第１小表示領域２２Ａの文字列２４と、第３小表示領域２２Ｃの第２リング部材２８の一部と、第４小表示領域２２Ｄの第５記号体３５と、が重なっている。このため、第６分割線Ｌ６および第１分割線Ｌ１の間に位置するセル４２Ｆの受光面積は、セル４２Ｆの受光面の投影面積から、１０時を示す目盛り２３のうち軸方向から見てセル４２Ｆと重なる部分の投影面積と、１１時を示す目盛り２３の投影面積と、１２時を示す目盛り２３のうち軸方向から見てセル４２Ｆと重なる部分の投影面積と、第１小表示領域２２Ａの文字列２４の投影面積と、第３小表示領域２２Ｃの第２リング部材２８のうち軸方向から見てセル４２Ｆと重なる部分の投影面積と、第４小表示領域２２Ｄの第５記号体３５の投影面積と、を差し引いた面積である。
【００６１】
図４は、実施形態の充電システムのブロック図である。
図４に示すように、上述したソーラーパネル４０は、二次電池１５を充電する。ムーブメント１０が備える充電システムは、ソーラーパネル４０と、ダイオード６１と、二次電池１５と、過充電防止回路６２と、を備えている。ダイオード６１は、二次電池１５からソーラーパネル４０に電流が逆流することを防止している。過充電防止回路６２は、基準電圧回路６３と、演算増幅器６４と、トランジスタ６５と、を備えている。過充電防止回路６２は、二次電池１５が過充電となり所定の電圧以上になったときに、不図示のスイッチによりソーラーパネル４０の両端をショート状態にする。これにより、二次電池１５への過充電が防止される。
【００６２】
このように、本実施形態によれば、ソーラーパネル４０は、複数のセル４２Ａ〜４２Ｆが目盛り２３および遮光部の投影面積を除いた面積において同等となるように形成されるので、複数のセル４２Ａ〜４２Ｆの受光面積のばらつきを抑制できる。これにより、複数のセル４２Ａ〜４２Ｆの出力電流が平準化され、ソーラーパネル４０の出力電流の低下を抑制できる。
また、ムーブメント１０は、複数のセル４２Ａ〜４２Ｆを電気的に接続し、ソーラーパネル４０が軸方向から見て目盛り２３に重なる位置に設置された接続部４３を備えるので、軸方向に沿って光を入射させた際に目盛り２３により遮光される部分と、ソーラーパネル４０のうち接続部４３によって遮光されて発電できない部分と、を重ねることができる。これにより、複数のセル４２Ａ〜４２Ｆに形成される、目盛り２３によって遮光される部分の面積を低減することができる。よって、複数のセル４２Ａ〜４２Ｆの受光面積をより大きく確保できる。
以上により、時計１におけるソーラーパネル４０の発電効率を確保することができる。
【００６３】
また、複数のセル４２Ａ〜４２Ｆは、遮光部の投影面積を除いた面積において光を受けることで生じる出力電流が等しくなるように形成されているので、ソーラーパネル４０の出力電流の低下を抑制できる。したがって、時計１におけるソーラーパネル４０の発電効率を確保することができる。
【００６４】
また、分割線Ｌ４〜Ｌ６は、軸方向から見て遮光部と重なるように形成されているので、遮光部と、ソーラーパネル４０のうち分割線Ｌ４〜Ｌ６に沿って延びる発電できない絶縁材料層４８と、を重ねることができる。これにより、複数のセル４２Ｃ〜４２Ｆにおける、遮光部によって遮光される部分の面積を低減することができる。よって、複数のセル４２Ｃ〜４２Ｆの受光面積をより効率的に確保できる。したがって、時計１におけるソーラーパネル４０の発電効率を確保することができる。
【００６５】
また、分割線Ｌ１〜Ｌ６は、軸方向から見て副指針（残量指針６ａ、小時針６ｂおよび小分針６ｃ）の移動軌跡に重ならない位置に設けられているので、軸方向から見て副指針が分割線Ｌ１〜Ｌ６を越えて移動することを防止できる。これにより、移動する副指針により遮光される部分が各セル４２Ａ〜４２Ｆ間を跨って移動することを防止できる。よって、副指針による遮光部分の面積が変動することにより生じる複数のセル４２Ａ〜４２Ｆの受光面積（発電量）の変動が抑制され、ソーラーパネル４０の発電効率を安定化することができる。また、各セル４２Ａ〜４２Ｆの面積を設計する際、指針により遮光される領域を除いた受光領域の面積計算が容易となる。
これにより、目盛り２３による遮光部分と接続部４３による遮光部分とを重ねた上述の構成と併せることにより、発電量の変動が抑制された受光面積をより大きく確保できるようになる。
この効果は、複数の副指針である残量指針６ａ、小時針６ｂおよび小分針６ｃのうちの少なくとも一つの移動軌跡が分割線Ｌ１〜Ｌ６のいずれかに重ならないことにより奏されるものである。
なお、本実施形態のように、複数の副指針である、残量指針６ａ、小時針６ｂおよび小分針６ｃの全ての移動軌跡が、分割線Ｌ１〜Ｌ６に重ならないように配置されることにより、前述の発電変動抑制効果と有効受光面積確保効果とをより一層高めることができる。
【００６６】
また、複数のセル４２Ａ〜４２Ｆの外縁は、目盛り２３における径方向内側の端部よりも外側に配置されている。このため、複数のセルの外縁が目盛りよりも径方向内側に配置された構成と比較して、複数のセル４２Ａ〜４２Ｆを広く形成でき、複数のセル４２Ａ〜４２Ｆの受光面積をより大きく確保できる。したがって、時計１におけるソーラーパネル４０の発電効率を確保することができる。
【００６７】
また、分割線Ｌ１〜Ｌ６は、主軸１２から目盛り２３までの直線距離よりも長いので、分割線Ｌ１〜Ｌ６が主軸１２と目盛り２３とを結ぶ線分に沿って延びる構成よりも、絶縁材料層４８を長く配置することができる。これにより、ソーラーパネル４０が撓み難くなるので、ソーラーパネル４０の組み付けを容易に行うことが可能となる。
【００６８】
また、第４小表示領域２２Ｄの各記号体３１〜３５は、軸方向から見てそれぞれ異なるセル４２Ａ，４２Ｃ〜４２Ｆに重なるように設けられている。これにより、各記号体３１〜３５が設けられることによって、各セル４２Ａ，４２Ｃ〜４２Ｆにおいて増加する影の面積が略均等となる。このため、第４小表示領域の各記号体が軸方向から見て１つのセルに複数重なるように設けられる場合と比較して、各セル４２Ａ，４２Ｃ〜４２Ｆの面積を設計する際の受光領域の面積計算が容易となる。また、各記号体３１〜３５が周方向に分散して設けられるので、第４小表示領域の各記号体が密集して設けられる場合と比較して、見栄えを向上させることができる。
【００６９】
また、遮光部が密集して配置されると、ソーラーパネル上において遮光部の影と分割線とが複雑に交差し、ソーラーパネルの受光領域の設計が困難となる場合がある。本実施形態では、複数のセル４２Ａ〜４２Ｆの全てに対し、軸方向から見て少なくとも１つの遮光部が重なるように設けられている。このため、軸方向から見て遮光部が重ならないセルが設けられることを回避できる。これにより、本実施形態の時計１のような遮光部が多数設けられる多機能時計において、軸方向から見て遮光部が密集することが抑制され、セル４２Ａ〜４２Ｆの受光領域の設計を容易とすることができる。
【００７０】
また、一般に、第１小表示領域２２Ａの文字列２４は記号体等と比較して複雑な形状を有しているので、文字列２４が軸方向から見て複数のセルに跨るように配置されている場合には、各セルの面積を設計する際の受光領域の面積計算が煩雑となる。これに対し、本実施形態では、第１小表示領域２２Ａの文字列２４は、軸方向から見てセル４２Ａのみに重なるように設けられているので、軸方向から見て文字列が複数のセルに跨るように配置されている場合と比較して、セル４２Ａの面積を設計する際の受光領域の面積計算が容易となる。
【００７１】
また、本実施形態の時計１は、ムーブメント１０を備えるので、主指針（時針５ａ、分針５ｂおよび秒針５ｃ）を駆動するモータを安定して制御することが可能となる。したがって、時計１の安定動作を実現できる。
【００７２】
なお、本発明は、図面を参照して説明した上述の実施形態に限定されるものではなく、その技術的範囲において様々な変形例が考えられる。
例えば、上記実施形態においては、複数のセル４２Ａ〜４２Ｆの受光面積が同等となるように形成されているが、これに限定されず、少なくとも一対のセル（第１セルおよび第２セル）の受光面積が同等となるように形成されていればよい。これにより、各セルの受光面積がばらついている場合と比較して、ソーラーパネルの出力電流の低下を抑制できる。
【００７３】
また、上記実施形態においては、ソーラーパネル４０が６個のセル４２Ａ〜４２Ｆを備えているが、セルの個数は複数であれば特に限定されない。また、各セルの形状についても特に限定されない。
【００７４】
また、上記実施形態においては、目盛り２３が１２個設けられているが、目盛りの数は特に限定されない。また、目盛り２３は指標の一例としたものであるので、指標としては目盛り２３に限られない。なお、目盛り２３は、略字と称することもある。
【００７５】
また、上記実施形態においては、複数のセル４２Ａ〜４２Ｆが目盛り２３および遮光部の投影面積を除いた面積において同等となるように形成されているが、これに限定されない。目盛りがソーラーパネルに重ならない構成においては、ソーラーパネルは、複数のセルが遮光部の投影面積を除いた面積において同等となるように形成されていれば、複数のセルの受光面積のばらつきを抑制できる。よって、ソーラーパネルの出力電流の低下を抑制できる。
【００７６】
その他、本発明の趣旨を逸脱しない範囲で、上記した実施の形態における構成要素を周知の構成要素に置き換えることは適宜可能である。
【符号の説明】
【００７７】
１…時計  ５ａ…時針（主指針）  ５ｂ…分針（主指針）  ５ｃ…秒針（主指針）  ６ａ…残量指針（副指針）  ６ｂ…小時針（副指針）  ６ｃ…小分針（副指針）  １０…ムーブメント  １２…主軸  ２２Ａ…第１小表示領域（小表示領域）  ２２Ｂ…第２小表示領域（小表示領域）  ２２Ｃ…第３小表示領域（小表示領域）  ２２Ｄ…第４小表示領域（小表示領域）  ２３…目盛り（指標）  ２４…文字列（遮光部）  ２５…第１リング部材（遮光部）  ２８…第２リング部材（遮光部）  ２９…小目盛り（遮光部）  ３１…第１記号体（遮光部）  ３２…第２記号体（遮光部）  ３３…第３記号体（遮光部）  ３４…第４記号体（遮光部）  ３５…第５記号体（遮光部）  ４０…ソーラーパネル  ４２Ａ，４２Ｂ，４２Ｃ，４２Ｄ，４２Ｅ，４２Ｆ…セル  ４３…接続部  Ｌ１，Ｌ２，Ｌ３，Ｌ４，Ｌ５，Ｌ６…分割線
【図１】
2018054598.tif 000003
【図２】
2018054598.tif 000004
【図３】
2018054598.tif 000005
【図４】
2018054598.tif 000006